(57)【要約】【課題】凸部の摩耗やキャリッジの変形が生じた場合でも、凸部でガイド部に接触する状態を維持可能な画像読取装置を提供すること。【解決手段】画像読取装置は、支持部と、ガイド部と、キャリッジと、読取部とを備える。キャリッジには凹部が設けられる。凹部には第一凸部、第二凸部、第三凸部、第四凸部、第五凸部、及び第六凸部が設けられる。第一凸部、第二凸部、第三凸部、及び第四凸部は、キャリッジがガイド部に載せられた際に、それぞれの突出方向先端部でガイド部に接触する。第五凸部及び第六凸部は、それぞれの突出方向への突出量が第一凸部、第二凸部、第三凸部、及び第四凸部よりも小となる形状とされる。【選択図】図６
2017135664.tif 000002
【特許請求の範囲】
【請求項１】
互いに直交する第一方向及び第二方向に平行な支持面で原稿を支持可能な支持部と、
前記支持部との間に間隔を空けた位置において、前記第二方向へと延びるガイド部と、
前記ガイド部に沿って第一位置から第二位置までの範囲内を前記第二方向へ往復移動可能なキャリッジと、
前記キャリッジに搭載され、前記キャリッジとともに前記第二方向へ移動しつつ、前記第一方向に配列された複数の読取素子により、前記支持部に支持された原稿の画像を読み取り可能な読取部と
を備え、
前記キャリッジには、前記キャリッジが前記ガイド部に載せられた際に、前記ガイド部の少なくとも一部が入り込む凹部が設けられ、
前記凹部における前記第二方向の両端のうち、一方の端部には、それぞれが前記ガイド部に向かって突出する第一凸部及び第二凸部が設けられ、他方の端部には、それぞれが前記ガイド部に向かって突出する第三凸部及び第四凸部が設けられ、さらに、前記凹部における前記第一凸部と前記第三凸部との間となる位置には、前記ガイド部に向かって突出する第五凸部が設けられ、前記凹部における前記第二凸部と前記第四凸部との間となる位置には、前記ガイド部に向かって突出する第六凸部が設けられ、
前記第一凸部、前記第二凸部、前記第三凸部、及び前記第四凸部は、前記キャリッジが前記ガイド部に載せられた際に、それぞれの突出方向先端部で前記ガイド部に接触するように構成され、
前記第五凸部及び前記第六凸部は、それぞれの突出方向への突出量が前記第一凸部、前記第二凸部、前記第三凸部、及び前記第四凸部よりも小となる形状とされている
画像読取装置。
【請求項２】
請求項１に記載の画像読取装置であって、
前記読取部は、前記キャリッジが前記第一位置側から前記第二位置側へ向かって移動する際に、前記支持部によって支持された原稿の画像を読み取り可能に構成され、
前記読取部は、前記読取部における前記第二方向の中央よりも前記第二位置に近い箇所に前記読取素子が配列され、前記読取部における前記第二方向の中央よりも前記第一位置に近い箇所において前記第一方向へと延びる軸線を揺動中心として揺動可能な状態で前記キャリッジに支持されている
画像読取装置。
【請求項３】
請求項１に記載の画像読取装置であって、
前記読取部は、前記キャリッジが前記第一位置側から前記第二位置側へ向かって移動する際に、前記支持部によって支持された原稿の画像を読み取り可能に構成され、
前記読取部は、前記読取部における前記第二方向の中央よりも前記第一位置に近い箇所に前記読取素子が配列され、前記読取部における前記第二方向の中央よりも前記第二位置に近い箇所において前記第一方向へと延びる軸線を揺動中心として揺動可能な状態で前記キャリッジに支持されている
画像読取装置。
【請求項４】
請求項１から請求項３までのいずれか一項に記載の画像読取装置であって、
環状に構成され、順方向及び逆方向へ回転駆動されるベルトを有し、
前記キャリッジは、前記ベルトに対して固定される固定部を有し、
前記固定部は、前記読取部における前記第二方向の中央よりも前記第一位置に近い箇所に設けられている
画像読取装置。
【請求項５】
請求項１から請求項４までのいずれか一項に記載の画像読取装置であって、
前記読取部と装置本体に設けられる電気的機構は、それらの間に設けられるフラットケーブルによって接続され、
前記キャリッジには、前記フラットケーブルを前記キャリッジにおける前記第一方向の一端から他端へと案内する案内部が設けられている
画像読取装置。
【請求項６】
請求項１から請求項５までのいずれか一項に記載の画像読取装置であって、
原稿を搬送経路に沿って搬送可能な搬送部
を備え、
前記読取部は、前記搬送部によって搬送される原稿の画像を読み取り可能に構成され、
前記第一方向及び前記第二方向の双方に対して直交する第三方向から見て、前記第一位置は前記搬送部と重なる位置にあり、前記第二位置は前記搬送部とは重ならない位置にある
画像読取装置。
【発明の詳細な説明】
【技術分野】
【０００１】
本開示は、画像読取装置に関する。
【背景技術】
【０００２】
フラットベッド型の画像読取装置が知られている（例えば、特許文献１参照。）。この種の画像読取装置は、主走査方向に配列された読取素子を有するイメージセンサと、イメージセンサが搭載されて、イメージセンサとともに移動することにより、イメージセンサを副走査方向へ移動させるキャリッジとを備えている。キャリッジは、副走査方向へと延びるガイド部に沿って移動可能に構成されている。
【０００３】
キャリッジの下面には、凹部が設けられている。この凹部は、上向きに凹む箇所が副走査方向へと延びる形状とされている。このような形状の凹部がある箇所において、キャリッジがガイド部の上に載せられている。これにより、キャリッジは、キャリッジの長手方向がガイド部の長手方向に対して直交する方向に向けられた状態を維持したまま、ガイド部に沿ってガイド部の長手方向へ移動可能となっている。
【先行技術文献】
【特許文献】
【０００４】
【特許文献１】特開２０１３−１１５７５９号公報
【発明の概要】
【発明が解決しようとする課題】
【０００５】
ところで、キャリッジがガイド部に沿って移動する際に、凹部とガイド部との間には、凹部とガイド部との接触面積に応じた摩擦抵抗が作用する。そのため、上述のような凹部の内面全体がガイド部に接触していると、上述のような摩擦抵抗が過大になることがあり、その場合、キャリッジがスムーズに動かなくなるなどの弊害を招く。
【０００６】
このような問題に対し、例えば、上述のような凹部の内面にいくつかの凸部を設け、それら凸部の突出方向先端部でガイド部に接触するように構成すれば、凸部とガイド部との間の接触面積は、凹部の内面全体がガイド部に接触する場合の接触面積よりも小となる。したがって、凸部とガイド部との間に作用する摩擦抵抗を、凹部の内面全体がガイド部に接触する場合の摩擦抵抗よりも小さくすることができる。
【０００７】
しかし、上述のような凸部を設けた場合でも、例えば経年変化で凸部の摩耗が進行した場合に、それに伴って凹部の内面がガイド部に接触する状態に至れば、摩擦抵抗が過大になり、キャリッジがスムーズに動かなくなる。あるいは、例えば経年変化でキャリッジが変形したことに起因して凸部の位置が変わった場合に、それに伴って凹部の内面がガイド部に接触する状態に至れば、摩擦抵抗が過大になり、キャリッジがスムーズに動かなくなる。
【０００８】
以上のような事情から、凸部の摩耗やキャリッジの変形が生じた場合でも、凸部でガイド部に接触する状態を維持可能な画像読取装置を提供することが望ましい。
【課題を解決するための手段】
【０００９】
以下に説明する画像読取装置は、互いに直交する第一方向及び第二方向に平行な支持面で原稿を支持可能な支持部と、支持部との間に間隔を空けた位置において、第二方向へと延びるガイド部と、ガイド部に沿って第二方向へ移動可能なキャリッジと、キャリッジに
搭載され、キャリッジとともに第二方向へ移動しつつ、第一方向に配列された複数の読取素子により、支持部に支持された原稿の画像を読み取り可能な読取部とを備え、キャリッジには、キャリッジがガイド部に載せられた際に、ガイド部の少なくとも一部が入り込む凹部が設けられ、凹部における第二方向の両端のうち、一方の端部には、それぞれがガイド部に向かって突出する第一凸部及び第二凸部が設けられ、他方の端部には、それぞれがガイド部に向かって突出する第三凸部及び第四凸部が設けられ、さらに、凹部における第一凸部と第三凸部との間となる位置には、ガイド部に向かって突出する第五凸部が設けられ、凹部における第二凸部と第四凸部との間となる位置には、ガイド部に向かって突出する第六凸部が設けられ、第一凸部、第二凸部、第三凸部、及び第四凸部は、キャリッジがガイド部に載せられた際に、それぞれの突出方向先端部でガイド部に接触するように構成され、第五凸部及び第六凸部は、それぞれの突出方向への突出量が第一凸部、第二凸部、第三凸部、及び第四凸部よりも小となる形状とされている。
【００１０】
このように構成された画像読取装置によれば、キャリッジには、上述のような第一凸部、第二凸部、第三凸部、第四凸部、第五凸部、及び第六凸部が設けられている。これらのうち、第五凸部及び第六凸部は、それぞれの突出方向への突出量が第一凸部、第二凸部、第三凸部、及び第四凸部よりも小となる形状とされている。
【００１１】
そのため、初期状態では、キャリッジがガイド部に載せられても、第五凸部及び第六凸部それぞれの突出方向先端部はガイド部に接触せず、第一凸部、第二凸部、第三凸部、及び第四凸部それぞれの突出方向先端部でガイド部に接触する。したがって、第一凸部、第二凸部、第三凸部、及び第四凸部を含むキャリッジの一部で摩耗又は変形が生じていない状況下では、第五凸部及び第六凸部とガイド部との間に摩擦抵抗が作用することはなく、キャリッジをスムーズに第二方向へ移動させることができる。
【００１２】
一方、第一凸部、第二凸部、第三凸部、及び第四凸部を含むキャリッジの一部において摩耗又は変形が生じた場合には、第五凸部及び第六凸部それぞれの突出方向先端部でガイド部に接触し得る。ここで、第五凸部及び第六凸部がガイド部に接触した場合には、ガイド部から第一凸部、第二凸部、第三凸部、及び第四凸部に対して作用していた力は、第五凸部及び第六凸部にも分散する。したがって、第一凸部、第二凸部、第三凸部、及び第四凸部のいずれかに負荷が集中するのを抑制し、いずれかの凸部で摩耗又は変形が進行するのを抑制することができる。
【図面の簡単な説明】
【００１３】
【図１】図１は複合機の外観を示す斜視図である。
【図２】図２は読取ユニットを示す中央断面図である。
【図３】図３は第一実施形態の第一イメージセンサ及びキャリッジを示す斜視図である。
【図４】図４は第一実施形態のキャリッジの移動範囲を示す説明図である。
【図５】図５Ａは第一実施形態のキャリッジ及びフレキシブルフラットケーブルをキャリッジの斜め上方から見た状態を示す斜視図である。図５Ｂは第一実施形態のキャリッジ及びフレキシブルフラットケーブルをキャリッジの斜め下方から見た状態を示す斜視図である。
【図６】図６Ａは第一実施形態のキャリッジを斜め下方から見た状態を示す斜視図である。図６Ｂは図６Ａ中に示したＶＩＢ部の拡大図である。
【図７】図７Ａは第一実施形態の第一イメージセンサ及びキャリッジを示す平面図である。図７Ｂは図７Ａ中にＶＩＩＢ−ＶＩＩＢ線で示した切断箇所における断面図である。図７Ｃは図７Ａ中にＶＩＩＣ−ＶＩＩＣ線で示した切断箇所における断面図である。図７Ｄは図７Ａ中にＶＩＩＤ−ＶＩＩＤ線で示した切断箇所における断面図である。
【図８】図８Ａは図７Ｂ中に示したＸＩＩＩＡ部の拡大図である。図８Ｂは図７Ｃ中に示したＸＩＩＩＢ部の拡大図である。図８Ｃは図７Ｄ中に示したＸＩＩＩＣ部の拡大図である。
【図９】図９は第二実施形態の第一イメージセンサ及びキャリッジを示す斜視図である。
【図１０】図１０Ａは第二実施形態のキャリッジを斜め下方から見た状態を示す斜視図である。図１０Ｂは図１０Ａ中に示したＸＢ部の拡大図である。
【図１１】図１１Ａは第二実施形態の第一イメージセンサ及びキャリッジを示す平面図である。図１１Ｂは図１１Ａ中にＸＩＢ−ＸＩＢ線で示した切断箇所における断面図である。図１１Ｃは図１１Ａ中にＸＩＣ−ＸＩＣ線で示した切断箇所における断面図である。図１１Ｄは図１１Ａ中にＸＩＤ−ＸＩＤ線で示した切断箇所における断面図である。
【発明を実施するための形態】
【００１４】
次に、上述の画像読取装置について、例示的な実施形態を挙げて説明する。
（１）第１実施形態
［複合機の構成］
図１に示す複合機１は、上述の画像読取装置の一例に相当する構成を備える装置である。なお、以下の説明においては、複合機１を構成する各部の相対的な位置関係を簡潔に説明するために、図中に上下左右前後の各方向を併記し、これらの各方向を利用して説明を行う。これらの各方向のうち、上下方向は複合機１を水平面上に設置した場合における水平面に直交する方向、前方は後述する操作パネル５が向けられる方向、後方は前方の反対方向、左右方向は上記前方から複合機１を見た場合における左右方向である。本実施形態の場合、前後方向が本開示でいう第一方向の一例に相当し、左右方向が本開示でいう第二方向の一例に相当し、上下方向が本開示でいう第三方向の一例に相当する。
【００１５】
複合機１は、図１に示すように、本体ユニット２と、読取ユニット３（本開示でいう画像読取装置の一例に相当。）とを備える。本体ユニット２の内部には、複合機１全体を制御する制御部、画像形成部、及びＬＡＮ通信部などが設けられている。読取ユニット３は、フラットベッド部３Ａ（以下、ＦＢ部３Ａと称する。）と、自動原稿搬送部３Ｂ（以下、ＡＤＦ部３Ｂと称する。）とを備える。これらＦＢ部３Ａ及びＡＤＦ部３Ｂについては後述する。
【００１６】
複合機１の前面には、利用者によって操作される操作パネル５が設けられている。操作パネル５は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００１７】
操作パネル５の下方には、画像形成部において画像が形成された被記録媒体が排出される媒体排出トレイ６が設けられている。媒体排出トレイ６の下方には、開閉可能に構成された前面カバー７が設けられている。前面カバー７を開いた場合には、本体ユニット２の内部に設けられた画像形成部にアクセス可能となり、画像形成部に対するメンテナンスなどを実施することができる。また、厚紙や封筒などに対して画像を形成する際には、前面カバー７を開いて、前面カバー７を媒体供給トレイとして利用することができる。前面カバー７の下方には、画像形成部へ供給される被記録媒体が収容される媒体供給カセット８が取り付けられている。
【００１８】
［読取ユニットの詳細］
次に、読取ユニット３の構造について説明する。読取ユニット３には、第一イメージセンサ１１Ａ（本開示でいう読取部の一例に相当。）及び第二イメージセンサ１１Ｂが設けられている。これらのうち、第一イメージセンサ１１ＡはＦＢ部３Ａに配設され、第二イ
メージセンサ１１ＢはＡＤＦ部３Ｂに配設されている。
【００１９】
第一イメージセンサ１１Ａ及び第二イメージセンサ１１Ｂは、一方向に配列された複数の読取素子（図示略。）を備える一次元イメージセンサである。本実施形態の場合、第一イメージセンサ１１Ａ及び第二イメージセンサ１１Ｂは、双方とも密着イメージセンサ（ＣＩＳ；Contact Image Sensor）である。第一イメージセンサ１１Ａ及び第二イメージセンサ１１Ｂは、上述の読取素子の配列方向（主走査方向。）が、図２中でいう左右方向及び上下方向の双方に垂直な方向（すなわち、前後方向。）に向けられている。
【００２０】
また、読取ユニット３には、ＦＢプラテン１２（本開示でいう支持部の一例に相当。）、第一ＡＤＦプラテン１３Ａ、及び第二ＡＤＦプラテン１３Ｂが設けられている。これらのうち、ＦＢプラテン１２及び第一ＡＤＦプラテン１３ＡはＦＢ部３Ａに配設され、第二ＡＤＦプラテン１３ＢはＡＤＦ部３Ｂに配設されている。これらＦＢプラテン１２、第一ＡＤＦプラテン１３Ａ、及び第二ＡＤＦプラテン１３Ｂは、ガラス板やアクリル板などの透明な板材によって構成されている。ＦＢプラテン１２は、互いに直交する前後方向及び左右方向に平行な支持面で原稿を支持可能に構成されている。
【００２１】
ＦＢ部３Ａには、ガイド軸１４（本開示でいうガイド部の一例に相当。）、キャリッジ１５、及び歯付きベルト１６などが設けられている。ガイド軸１４は、金属の丸棒によって構成され、ＦＢプラテン１２の下方にあり、ＦＢプラテン１２との間に間隔を空けた位置において、図２中でいう左右方向へと延びている。
【００２２】
キャリッジ１５は、ガイド軸１４の上に取り付けられることにより、ガイド軸１４に沿って左右方向へ往復移動可能な状態で支持されている。以下、キャリッジ１５が左右方向へ往復移動する範囲のうち、左端となる位置を第一位置、右端となる位置を第二位置と称する。すなわち、キャリッジ１５は、左右方向について、第一位置から第二位置へ右方に向かって往動し、第二位置から第一位置へ左方に向かって復動する。
【００２３】
キャリッジ１５は、環状（すなわち、無端状。）の歯付きベルト１６（本開示でいうベルトの一例に相当。）に連結されている。歯付きベルト１６は、モータ（図示略。）によって順方向及び逆方向へ回転駆動され、その際、キャリッジ１５は歯付きベルト１６に追従して左右方向へ往復移動する。第一イメージセンサ１１Ａは、上述の読取素子がＦＢプラテン１２及び第一ＡＤＦプラテン１３Ａに対向する方向（図２中でいう上方。）へ向けられた状態でキャリッジ１５に搭載されている。
【００２４】
ＡＤＦ部３Ｂには、押圧部１７が設けられている。押圧部１７は、発泡樹脂層と硬質樹脂フィルム層の積層体によって構成されている。ＡＤＦ部３Ｂが閉じられた際、押圧部１７は、若干の弾性変形を伴ってＦＢプラテン１２に密接し、ＦＢプラテン１２上に載置された読み取り対象物をＦＢプラテン１２に向かって押圧する。
【００２５】
ＦＢプラテン１２の上面に載置された読み取り対象物（例えば、シートやブック原稿など）の画像を読み取る場合、第一イメージセンサ１１Ａは、読取素子の配列方向（主走査方向。）に対して直交する方向（副走査方向。）へキャリッジ１５とともに移動しながら画像を読み取る。なお、第一イメージセンサ１１Ａは、キャリッジ１５が第一位置側から第二位置側へ向かって移動する際に、ＦＢプラテン１２によって支持された原稿の画像を読み取る。
【００２６】
読取ユニット３において、ＡＤＦ部３Ｂは、図２に示すように、搬送経路（図２中に破線で示す経路。）に沿ってシートを搬送する搬送部２０を備える。搬送部２０の搬送方向上流側には、搬送部２０へ供給されるシートを支持する供給部２１が設けられている。搬
送部２０の搬送方向下流側には、搬送部２０から排出されたシートを支持する排出部２２が設けられている。
【００２７】
搬送部２０は、吸入ローラ２５、分離ローラ２６Ａ、分離片２６Ｂ、第一搬送ローラ２７Ａ、第一ピンチローラ２７Ｂ、第二搬送ローラ２８Ａ、第二ピンチローラ２８Ｂ、排出ローラ２９Ａ、及び排出ピンチローラ２９Ｂなどを備える。第一ピンチローラ２７Ｂは、図示しないばねにより、第一搬送ローラ２７Ａに向かって付勢されている。第二ピンチローラ２８Ｂは、図示しないばねにより、第二搬送ローラ２８Ａに向かって付勢されている。排出ピンチローラ２９Ｂは、図示しないばねにより、排出ローラ２９Ａに向かって付勢されている。
【００２８】
供給部２１に載置されるシートは、吸入ローラ２５によって供給部２１から搬送方向下流側へと送り出され、分離ローラ２６Ａ、及び分離片２６Ｂによって１枚ずつに分離される。そして、更に第一搬送ローラ２７Ａや第二搬送ローラ２８Ａによって搬送方向下流側へと搬送されて、排出ローラ２９Ａによって排出部２２上へと排出される。
【００２９】
第一ＡＤＦプラテン１３Ａは、上記搬送経路に沿った位置で、当該搬送経路が最も下方に位置する箇所に設けられ、搬送経路を挟んで第一ＡＤＦプラテン１３Ａと対向する位置には、第一シート押さえ部３１Ａが設けられている。第一シート押さえ部３１Ａは、第一ＡＤＦプラテン１３Ａに対して上方から対向している。また、第二ＡＤＦプラテン１３Ｂは、上記搬送経路に沿った位置で、第二搬送ローラ２８Ａから第一ＡＤＦプラテン１３Ａに向かって斜め下方へと延びる搬送経路の上方に設けられ、搬送経路を挟んで第二ＡＤＦプラテン１３Ｂと対向する位置には、第二シート押さえ部３１Ｂが設けられている。第二シート押さえ部３１Ｂは、第二ＡＤＦプラテン１３Ｂに対して斜め下方から対向している。
【００３０】
第一シート押さえ部３１Ａは、シートの搬送を妨げない程度の付勢力で第一ＡＤＦプラテン１３Ａに向かって付勢されている。これにより、シートが第一ＡＤＦプラテン１３Ａと第一シート押さえ部３１Ａとの間を搬送される際に、第一ＡＤＦプラテン１３Ａの上面に接触しつつ通過するシートが第一ＡＤＦプラテン１３Ａから浮き上がるのを抑制する。
【００３１】
第二シート押さえ部３１Ｂは、シートの搬送を妨げない程度の付勢力で第二ＡＤＦプラテン１３Ｂに向かって付勢されている。これにより、シートが第二ＡＤＦプラテン１３Ｂと第二シート押さえ部３１Ｂとの間を搬送される際に、第二ＡＤＦプラテン１３Ｂの上面に接触しつつ通過するシートが第二ＡＤＦプラテン１３Ｂから浮き上がるのを抑制する。
【００３２】
搬送部２０によって搬送されるシートの画像を読み取る場合、第一イメージセンサ１１Ａは、第一ＡＤＦプラテン１３Ａを挟んで第一シート押さえ部３１Ａと対向する位置で静止し、第一ＡＤＦプラテン１３Ａの上面に接触しつつ通過するシートの画像を読み取る。第二イメージセンサ１１Ｂは、第二ＡＤＦプラテン１３Ｂを挟んで第二シート押さえ部３１Ｂと対向する位置に配設されており、第二ＡＤＦプラテン１３Ｂの下面に接触しつつ通過するシートの画像を読み取る。
【００３３】
［第一イメージセンサ及びキャリッジの詳細］
第一イメージセンサ１１Ａは、図３に示すように、第一イメージセンサ１１Ａにおける左右方向の中央よりも右側（すなわち、第二位置に近い箇所。）に受光部３５を有し、この受光部３５の直下となる位置に読取素子が配列されている。また、第一イメージセンサ１１Ａは、第一イメージセンサ１１Ａにおける左右方向の中央よりも左側（すなわち、第一位置に近い箇所。）に支軸３７を有する。この支軸３７は、キャリッジに設けられた軸受け部３９によって支持されている。これにより、第一イメージセンサ１１Ａは、第一イ
メージセンサ１１Ａにおける左右方向の中央よりも左側において前後方向へと延びる軸線Ｒ１を揺動中心として揺動可能な状態でキャリッジ１５に支持されている。
【００３４】
図４の上段には、受光部３５が左右方向中央よりも右側に配置され、支軸３７が左右方向中央よりも左側に配置されている構成（すなわち、上記ＦＢ部３Ａ相当の構成。）を図示してある。また、図４の下段には、受光部３５が左右方向中央よりも左側に配置され、支軸３７が左右方向中央よりも右側に配置されている構成（すなわち、上記ＦＢ部３Ａとは異なる構成。）を図示してある。図４に例示した各装置においては、第一イメージセンサ１１Ａによって画像を読み取り可能な範囲Ａ１が、上段と下段とで一致するように、キャリッジの移動範囲Ｂ１，Ｂ２が設定されている。キャリッジの移動範囲Ｂ１，Ｂ２を比較すると明らかなように、上記ＦＢ部３Ａ相当の構成を採用すれば、キャリッジ１５の移動範囲Ｂ１を移動範囲Ｂ２に比べ、左側（すなわち、第一位置側。）へシフトさせることができる。
【００３５】
ここで、ＦＢ部３Ａの左側上方には搬送部２０（図２参照。）が設けられている。そのため、複合機１の左端位置は搬送部２０の位置によって決まり、ＦＢ部３Ａの左端だけを右方へ寄せても、複合機１の左右方向寸法を小さくすることはできない。したがって、ＦＢ部３Ａの左端だけを右方へ寄せる必要性は低く、その分、ＦＢ部３Ａの左端側には、キャリッジ１５等が移動する空間を確保しやすい。一方、複合機１の右端位置はＦＢ部３Ａの右端位置によって決まるので、ＦＢ部３Ａの右端を左方へ寄せることができれば、複合機１の左右方向寸法を小さくすることができる。ただし、ＦＢ部３Ａの右端を左方へ寄せると、その分、ＦＢ部３Ａの右端側には、キャリッジ１５等が移動する空間を確保しにくくなる。この点、図４の上段に示したような構成を採用すれば、キャリッジ１５の移動範囲Ｂ１を移動範囲Ｂ２に比べ、左側（すなわち、第一位置側。）へシフトさせることができるので、ＦＢ部３Ａの右端を左方へ寄せることが可能となり、これにより、複合機１の左右方向寸法を小さくすることができる。
【００３６】
キャリッジ１５には、図５Ａ及び図５Ｂに示すように、ＦＦＣ（Flexible Flat Cable。本開示でいうフラットケーブルの一例に相当。）４３を案内する案内部４１が設けられている。ＦＦＣ４３は、第一イメージセンサ１１Ａと複合機１が有する電気的機構（図示略。）を接続するケーブルである。ＦＦＣ４３の一端は、第一イメージセンサ１１Ａの前端側において、第一イメージセンサ１１Ａに接続されている。案内部４１は、第一案内孔４１Ａ、第二案内孔４１Ｂ、及び第三案内孔４１Ｃ等を有する。案内部４１は、キャリッジ１５の前端付近において、ＦＦＣ４３を第一案内孔４１Ａに通すことにより、ＦＦＣ４３をキャリッジ１５の上面側から下面側へと案内する。続いて、キャリッジ１５の下面に沿って、ＦＦＣ４３をキャリッジ１５の前後方向中央付近へと案内する。続いて、キャリッジ１５の前後方向中央付近において、ＦＦＣ４３を第二案内孔４１Ｂに通すことにより、ＦＦＣ４３をキャリッジ１５の下面側から上面側へと案内する。続いて、キャリッジ１５の上面に沿って、ＦＦＣ４３をガイド軸１４よりも後方となる位置へと案内し、その位置において、ＦＦＣ４３を第三案内孔４１Ｃに通すことにより、ＦＦＣ４３をキャリッジ１５の上面側から下面側へと案内する。そして、キャリッジ１５の下面に沿って、ＦＦＣ４３をキャリッジ１５の後端付近まで案内し、キャリッジ１５の後端付近において、ＦＦＣ４３はキャリッジ１５から離れて、更に下方へと延びる経路に至る。このような案内部４１によってＦＦＣ４３を案内すれば、第一イメージセンサ１１ＡとＦＦＣ４３との接続箇所がキャリッジ１５の前端側にあり、複合機１が有する電気的機構への配線経路がキャリッジ１５の後端側にある場合でも、ＦＦＣ４３を整えて配線することができる。
【００３７】
キャリッジ１５には、図６Ａ及び図６Ｂに示すように、凹部５０が設けられている。キャリッジ１５がガイド軸１４に載せられた際には、ガイド軸１４の少なくとも一部が凹部５０に入り込む。凹部５０における左右方向の両端のうち、一方（右側。）の端部には、
それぞれがガイド軸１４に向かって突出する第一凸部５１及び第二凸部５２が設けられている。また、他方（左側。）の端部には、それぞれがガイド軸１４に向かって突出する第三凸部５３及び第四凸部５４が設けられている。第一凸部５１と第二凸部５２は、ガイド軸１４を挟んで対向し、第三凸部５３と第四凸部５４は、ガイド軸１４を挟んで対向する位置にある。
【００３８】
さらに、凹部５０における第一凸部５１と第三凸部５３との間となる位置には、ガイド軸１４に向かって突出する第五凸部５５が設けられている。凹部５０における第二凸部５２と第四凸部５４との間となる位置には、ガイド軸１４に向かって突出する第六凸部５６が設けられている。第五凸部５５と第六凸部５６は、ガイド軸１４を挟んで対向する位置にある。また、キャリッジ１５は、歯付きベルト１６に対して固定される固定部５９を有する。固定部５９は、第一イメージセンサ１１Ａにおける左右方向の中央よりも第一位置に近い箇所（左側。）に設けられている。
【００３９】
第一凸部５１、第二凸部５２、第三凸部５３、及び第四凸部５４は、図７Ａ〜図７Ｄに示すように、キャリッジ１５がガイド軸１４に載せられた際に、それぞれの突出方向先端部でガイド軸１４に接触するように構成されている。より詳しくは、図８Ｃに示すように、第一凸部５１及び第二凸部５２は、それぞれがガイド軸１４に向かって突出しており、それぞれの突出方向先端部の先端間距離Ｗ１は、ガイド軸１４の外径とほぼ同寸法とされている。また、図８Ａに示すように、第三凸部５３及び第四凸部５４は、それぞれがガイド軸１４に向かって突出しており、それぞれの突出方向先端部の先端間距離Ｗ１は、ガイド軸１４の外径とほぼ同寸法（すなわち、第一凸部５１と第二凸部５２の突出方向先端部の先端間距離Ｗ１と同寸法。）とされている。
【００４０】
これに対し、第五凸部５５及び第六凸部５６は、それぞれの突出方向への突出量が第一凸部５１、第二凸部５２、第三凸部５３、及び第四凸部５４よりも小となる形状とされている。より詳しくは、図８Ｂに示すように、第五凸部５５及び第六凸部５６は、それぞれがガイド軸１４に向かって突出しているが、その突出量が第一凸部５１、第二凸部５２、第三凸部５３、及び第四凸部５４よりも小となっている。そのため、第五凸部５５及び第六凸部５６それぞれの突出方向先端部の先端間距離Ｗ２は、上述の先端間距離Ｗ１よりも僅かに大きい寸法（本実施形態の場合は約０．３ｍｍ大きい寸法。）になっている。
【００４１】
これにより、初期状態では、キャリッジ１５がガイド軸１４に載せられても、第五凸部５５及び第六凸部５６それぞれの突出方向先端部はガイド軸１４に接触しない。すなわち、第一凸部５１と第三凸部５３がガイド軸１４に接触する状態において、第五凸部５５とガイド軸１４との間には空隙が生じる。また、第二凸部５２と第四凸部５４がガイド軸１４に接触する状態において、第六凸部５６とガイド軸１４との間には空隙が生じる。
【００４２】
一方、第一凸部５１、第二凸部５２、第三凸部５３、及び第四凸部５４を含むキャリッジ１５の一部で摩耗又は変形が生じた場合には、第五凸部５５及び第六凸部５６は、それぞれの突出方向先端部でガイド軸１４に接触し得る。例えば、第一凸部５１が摩耗又は変形すれば、第一凸部５１と第三凸部５３がガイド軸１４に接触する状態において、第五凸部５５とガイド軸１４との間に生じる空隙は狭まり、更に第一凸部５１の摩耗又は変形が進めば、第五凸部５５がガイド軸１４に接触する。第三凸部５３の摩耗又は変形が進んだ場合も、同様に第五凸部５５がガイド軸１４に接触する。第二凸部５２又は第四凸部５４の摩耗又は変形が進んだ場合は、第六凸部５６がガイド軸１４に接触する。この他、凸部以外のキャリッジ１５の一部で変形が生じた場合にも、第五凸部５５及び第六凸部５６は、それぞれの突出方向先端部でガイド軸１４に接触し得る。
【００４３】
［効果］
以上のように構成された複合機１によれば、第一凸部５１、第二凸部５２、第三凸部５３、及び第四凸部５４を含むキャリッジ１５の一部で摩耗又は変形が生じた場合に、第五凸部５５及び第六凸部５６がガイド軸１４に接触し得る。第五凸部５５及び第六凸部５６がガイド軸１４に接触した場合、ガイド軸１４から第一凸部５１、第二凸部５２、第三凸部５３、及び第四凸部５４に対して作用していた力は、第五凸部５５及び第六凸部５６にも分散する。したがって、第一凸部５１、第二凸部５２、第三凸部５３、及び第四凸部５４のいずれかに負荷が集中するのを抑制し、いずれかの凸部で摩耗又は変形が進行するのを抑制することができる。
【００４４】
第一凸部５１、第二凸部５２、第三凸部５３、及び第四凸部５４のいずれに負荷が集中するかは、摩耗や変形が生じた箇所、及び摩耗や変形の程度に応じて変わり得る。例えば、特定の凸部（例えば第一凸部５１。）において摩耗が進行した場合は、残りの凸部（例えば第二凸部５２、第三凸部５３、及び第四凸部５４。）に負荷が集中し得る。あるいは、凸部自体の摩耗や変形に限らず、凸部以外のキャリッジ１５の一部において変形が生じた場合にも、特定の凸部に負荷が集中することがある。ただし、いずれの場合においても、第五凸部５５及び第六凸部５６がガイド軸１４に接触すれば、特定の凸部に負荷が集中するのを抑制できる。
【００４５】
また、第五凸部５５及び第六凸部５６は、初期状態ではガイド軸１４に接触しない。そのため、第一凸部５１、第二凸部５２、第三凸部５３、及び第四凸部５４を含むキャリッジ１５の一部で摩耗又は変形が生じていない状況下では、第五凸部５５及び第六凸部５６とガイド軸１４との間に摩擦抵抗が作用することはなく、キャリッジ１５をスムーズに左右方向へ移動させることができる。
【００４６】
また、本実施形態の場合、第一イメージセンサ１１Ａは、第一イメージセンサ１１Ａにおける左右方向の中央よりも第二位置に近い箇所に読取素子が配列され、第一イメージセンサ１１Ａにおける左右方向の中央よりも第一位置に近い箇所において前後方向へと延びる軸線Ｒ１を揺動中心として揺動可能な状態でキャリッジ１５に支持されている。
【００４７】
そのため、第一イメージセンサ１１Ａにおける左右方向の中央よりも第一位置に近い箇所に読取素子が配列されているものと比較した場合、左右方向について、第一イメージセンサ１１Ａによる読み取り範囲が同一に設定されても、キャリッジ１５の移動範囲を第一位置側へシフトさせることができる。したがって、第二位置側にできる余裕分が不要であれば、その余裕分だけ装置の左右方向寸法を小さくすることができ、装置の小型化に寄与する。
【００４８】
また、本実施形態の場合、固定部５９が第一イメージセンサ１１Ａにおける左右方向の中央よりも第一位置に近い箇所に設けられている。そのため、固定部５９が第一イメージセンサ１１Ａにおける左右方向の中央よりも第二位置に近い箇所に設けられているものと比較した場合、左右方向について、第一イメージセンサ１１Ａによる読み取り範囲が同一に設定されても、歯付きベルト１６の配設範囲を第一位置側へシフトさせることができる。したがって、その分だけ、第二位置側に余裕ができ、第二位置側にできる余裕分が不要であれば、その余裕分だけ装置の左右方向寸法を小さくすることができ、装置の小型化に寄与する。なお、上部にＡＤＦ部３Ｂが設けられる都合上、ＦＢ部３Ａの第一位置側は、スペースに余裕がある。そのため、歯付きベルト１６の配設範囲が第一位置側へシフトしても、装置全体としての左右方向の幅に影響がない。
【００４９】
また、本実施形態の場合、キャリッジ１５に上述のような案内部４１が設けられている。そのため、ＦＦＣ４３をきれいに整えて配線することができる。
（２）第二実施形態
次に、第二実施形態について説明する。なお、第二実施形態は、第一実施形態との相違点を中心に詳述する。第一実施形態と同等な構成については、第一実施形態と共通する符号を付し、その詳細な説明を省略する。
【００５０】
第二実施形態は、図９に示すように、受光部３５と第一イメージセンサ１１Ａの揺動中心となる軸線Ｒ２との位置関係が、第一実施形態とは相違する。より詳しくは、第二実施形態において、第一イメージセンサ１１Ａは、第一イメージセンサ１１Ａにおける左右方向の中央よりも左側（すなわち、第一位置に近い箇所。）に受光部３５を有し、この受光部３５の直下となる位置に読取素子が配列されている。
【００５１】
また、第一イメージセンサ１１Ａは、第一イメージセンサ１１Ａにおける左右方向の中央よりも右側（すなわち、第二位置に近い箇所。）に支軸３７を有する。この支軸３７は、キャリッジに設けられた軸受け部３９によって支持されている。これにより、第一イメージセンサ１１Ａは、第一イメージセンサ１１Ａにおける左右方向の中央よりも右側において前後方向へと延びる軸線Ｒ２を揺動中心として揺動可能な状態でキャリッジ１５に支持されている。
【００５２】
このように構成されたキャリッジ１５においても、第一実施形態同様、キャリッジ１５には、図１０Ａ及び図１０Ｂに示すように、凹部５０が設けられている。この凹部５０における左右方向の両端のうち、一方（右側。）の端部には、それぞれがガイド軸１４に向かって突出する第一凸部５１及び第二凸部５２が設けられている。また、他方（左側。）の端部には、それぞれがガイド軸１４に向かって突出する第三凸部５３及び第四凸部５４が設けられている。
【００５３】
さらに、凹部５０における第一凸部５１と第三凸部５３との間となる位置には、ガイド軸１４に向かって突出する第五凸部５５が設けられている。凹部５０における第二凸部５２と第四凸部５４との間となる位置には、ガイド軸１４に向かって突出する第六凸部５６が設けられている。また、キャリッジ１５は、歯付きベルト１６に対して固定される固定部５９を有する。固定部５９は、第一イメージセンサ１１Ａにおける左右方向の中央よりも第一位置に近い箇所（左側。）に設けられている。
【００５４】
第一凸部５１、第二凸部５２、第三凸部５３、及び第四凸部５４は、図１１Ａ〜図１１Ｄに示すように、キャリッジ１５がガイド軸１４に載せられた際に、それぞれの突出方向先端部でガイド軸１４に接触するように構成されている。第五凸部５５及び第六凸部５６は、それぞれの突出方向への突出量が第一凸部５１、第二凸部５２、第三凸部５３、及び第四凸部５４よりも小となる形状とされている。これにより、初期状態では、キャリッジ１５がガイド軸１４に載せられても、第五凸部５５及び第六凸部５６それぞれの突出方向先端部はガイド軸１４に接触しない。一方、第一凸部５１、第二凸部５２、第三凸部５３、及び第四凸部５４を含むキャリッジ１５の一部で摩耗又は変形が生じた場合には、第五凸部５５及び第六凸部５６は、それぞれの突出方向先端部でガイド軸１４に接触し得る。
【００５５】
［効果］
以上のように構成された第二実施形態の複合機１においても、第一実施形態同様に、第一凸部５１、第二凸部５２、第三凸部５３、第四凸部５４、第五凸部５５、及び第六凸部５６が設けられている。したがって、第一凸部５１、第二凸部５２、第三凸部５３、及び第四凸部５４のいずれかに負荷が集中するのを抑制し、いずれかの凸部で摩耗又は変形が進行するのを抑制することができる。また、第五凸部５５及び第六凸部５６は、初期状態ではガイド軸１４に接触しないので、キャリッジ１５の一部で摩耗又は変形が生じていない状況下では、キャリッジ１５をスムーズに左右方向へ移動させることができる。
【００５６】
さらに、第二実施形態の場合は、第一イメージセンサ１１Ａにおける左右方向の中央よりも第二位置に近い箇所に、第一イメージセンサ１１Ａの揺動中心がある。そのため、第一イメージセンサ１１Ａの読取素子は、キャリッジ１５によって引っ張られる位置にあるため、ＦＢプラテン１２との接触に伴う力が第一イメージセンサ１１Ａに伝わっても、ＦＢプラテン１２と第一イメージセンサ１１Ａの読取素子との位置関係を安定させやすく、その分だけ読み取られる画像の画質を容易に良好にすることができる。
【００５７】
（３）他の実施形態
以上、画像読取装置について、例示的な実施形態を挙げて説明したが、上述の実施形態は本開示の一態様として例示されるものに過ぎない。すなわち、本開示は、上述の例示的な実施形態に限定されるものではなく、本開示の技術的思想を逸脱しない範囲内において、様々な形態で実施することができる。
【００５８】
例えば、上記実施形態において、固定部５９は、第一イメージセンサ１１Ａにおける左右方向の中央よりも第一位置に近い箇所（左側。）に設けられていたが、左右方向の中央よりも第二位置に近い箇所（右側。）に設けられていてもよい。
【００５９】
また、上記実施形態において、キャリッジ１５に案内部４１を設けてあったが、案内部４１を設けるか否かは任意である。
さらに、上記実施形態において、一つの構成要素で実現していた所定の機能を、複数の構成要素が協働して実現するように構成してあってもよい。あるいは、上記実施形態では、複数の構成要素それぞれが有していた複数の機能や、複数の構成要素が協働して実現していた所定の機能を、一つの構成要素が実現するように構成してあってもよい。また、上記実施形態の構成の一部を省略してもよい。また、上記実施形態の構成の少なくとも一部を、他の上記実施形態の構成に対して付加又は置換してもよい。また、上述した画像処理装置の他、画像処理装置を構成要素とするシステムなど、種々の形態で本開示を実現することもできる。
【００６０】
（４）補足
なお、以上説明した例示的な実施形態から明らかなように、本開示の画像読取装置は、更に以下に挙げるような構成を備えていてもよい。
【００６１】
まず、本開示の画像読取装置において、キャリッジは、第二方向について、第一位置から第二位置までの範囲内を往復移動可能に構成され、読取部は、キャリッジが第一位置側から第二位置側へ向かって移動する際に、支持部によって支持された原稿の画像を読み取り可能に構成され、読取部は、読取部における第二方向の中央よりも第二位置に近い箇所に読取素子が配列され、読取部における第二方向の中央よりも第一位置に近い箇所において第一方向へと延びる軸線を揺動中心として揺動可能な状態でキャリッジに支持されていてもよい。
【００６２】
このように構成された画像読取装置によれば、読取部における第二方向の中央よりも第二位置に近い箇所に読取素子が配列されている。そのため、読取部における第二方向の中央よりも第一位置に近い箇所に読取素子が配列されているものと比較した場合、第二方向について、読取部による読み取り範囲が同一に設定されても、キャリッジの移動範囲を第一位置側へシフトさせることができる。したがって、例えば、キャリッジ等を収容する筐体内において、第一位置側の収容スペースに余裕がある場合には、そのような余裕のある収容スペース内へキャリッジの移動範囲をシフトさせることができ、その分だけ、筐体内の第二位置側にも余裕ができる。よって、第二位置側にできる余裕分が不要であれば、その余裕分だけ筐体の第二方向寸法を小さくすることができ、装置の小型化に寄与する。
【００６３】
また、本開示の画像読取装置において、キャリッジは、第二方向について、第一位置から第二位置までの範囲内を往復移動可能に構成され、読取部は、キャリッジが第一位置側から第二位置側へ向かって移動する際に、支持部によって支持された原稿の画像を読み取り可能に構成され、読取部は、読取部における第二方向の中央よりも第一位置に近い箇所に読取素子が配列され、読取部における第二方向の中央よりも第二位置に近い箇所において第一方向へと延びる軸線を揺動中心として揺動可能な状態でキャリッジに支持されていてもよい。
【００６４】
このように構成された画像読取装置によれば、読取部における第二方向の中央よりも第一位置に近い箇所に読取素子が配列され、読取部における第二方向の中央よりも第二位置に近い箇所に揺動中心がある。そのため、読取素子は、キャリッジによって引っ張られる位置にあるため、支持部との接触に伴う力が読取部に伝わっても、支持部と読取素子との位置関係を安定させやすく、その分だけ読み取られる画像の画質を容易に良好にすることができる。
【００６５】
また、本開示の画像読取装置は、環状に構成され、順方向及び逆方向へ回転駆動されるベルトを有し、キャリッジは、ベルトに対して固定される固定部を有し、固定部は、読取部における第二方向の中央よりも第一位置に近い箇所に設けられていてもよい。
【００６６】
このように構成された画像読取装置によれば、固定部が読取部における第二方向の中央よりも第一位置に近い箇所に設けられている。そのため、固定部が読取部における第二方向の中央よりも第二位置に近い箇所に設けられているものと比較した場合、第二方向について、読取部による読み取り範囲が同一に設定されても、ベルトの配設範囲を第一位置側へシフトさせることができる。したがって、例えば、ベルト等を収容する筐体内において、第一位置側の収容スペースに余裕がある場合には、そのような余裕のある収容スペース内へベルトの配設範囲をシフトさせることができ、その分だけ、筐体内の第二位置側にも余裕ができる。よって、第二位置側にできる余裕分が不要であれば、その余裕分だけ筐体の第二方向寸法を小さくすることができ、装置の小型化に寄与する。
【００６７】
また、本開示の画像読取装置において、読取部と装置本体に設けられる電気的機構は、それらの間に設けられるフラットケーブルによって接続され、キャリッジには、フラットケーブルをキャリッジにおける第一方向の一端から他端へと案内する案内部が設けられていてもよい。
【００６８】
このように構成された画像読取装置によれば、キャリッジに上述のような案内部が設けられている。そのため、読取部とフラットケーブルとの接続箇所と、装置本体に設けられる電気的機構とフラットケーブルとの接続箇所が、第一方向についてキャリッジを挟んで反対側付近に存在する場合でも、フラットケーブルをきれいに整えて配線することができる。
【符号の説明】
【００６９】
１…複合機、２…本体ユニット、３…読取ユニット、３Ａ…ＦＢ部、３Ｂ…ＡＤＦ部、５…操作パネル、６…媒体排出トレイ、７…前面カバー、８…媒体供給カセット、１１Ａ…第一イメージセンサ、１１Ｂ…第二イメージセンサ、１２…ＦＢプラテン、１３Ａ…第一ＡＤＦプラテン、１３Ｂ…第二ＡＤＦプラテン、１４…ガイド軸、１５…キャリッジ、１６…歯付きベルト、１７…押圧部、２０…搬送部、２１…供給部、２２…排出部、２５…吸入ローラ、２６Ａ…分離ローラ、２６Ｂ…分離片、２７Ａ…第一搬送ローラ、２７Ｂ…第一ピンチローラ、２８Ａ…第二搬送ローラ、２８Ｂ…第二ピンチローラ、２９Ａ…排出ローラ、２９Ｂ…排出ピンチローラ、３１Ａ…第一シート押さえ部、３１Ｂ…第二シート押さえ部、３５…受光部、３７…支軸、３９…軸受け部、４１…案内部、４１Ａ…第一
案内孔、４１Ｂ…第二案内孔、４１Ｃ…第三案内孔、４３…ＦＦＣ、５０…凹部、５１…第一凸部、５２…第二凸部、５３…第三凸部、５４…第四凸部、５５…第五凸部、５６…第六凸部、５９…固定部、Ｒ１，Ｒ２…軸線。
【図１】
2017135664.tif 000003
【図２】
2017135664.tif 000004
【図３】
2017135664.tif 000005
【図４】
2017135664.tif 000006
【図５】
2017135664.tif 000007
【図６】
2017135664.tif 000008
【図７】
2017135664.tif 000009
【図８】
2017135664.tif 000010
【図９】
2017135664.tif 000011
【図１０】
2017135664.tif 000012
【図１１】
2017135664.tif 000013